(57)【要約】【課題】材料や製造に掛かるコストを低減できる仕切り構造体を提供することを目的とする。【解決手段】空間を一方側空間と他方側空間に分けるための主要面を構成する建材１１と、主要面によって分けられた一方側空間と他方側空間とを連通する通気部１４と、を備えた仕切り構造体１０において、建材１１が、上方からの水を受けて下方に流す第一面部１２と、第一面部１２よりも下方に位置するとともに第一面部１２と連続し、かつ第一面部１２とは異なる角度に配置されて第一面部１２から伝わる水を下方に流す第二面部１３と、を備えており、第一面部１２が、第二面部１３に向かって水を伝える通水部１２ｃを有し、第二面部１３が、横方向に延在し、かつ上下に並設された複数の横流路部１３ａを有する。【選択図】図２
2018044344.tif 000002
【特許請求の範囲】
【請求項１】
空間を一方側空間と他方側空間に分けるための主要面を構成する建材と、前記主要面によって分けられた一方側空間と他方側空間とを連通する通気部と、を備えた仕切り構造体において、
前記建材は、
上方からの水を受けて下方に流す第一面部と、
前記第一面部よりも下方に位置するとともに前記第一面部と連続し、かつ前記第一面部とは異なる角度に配置されて前記第一面部から伝わる水を下方に流す第二面部と、を備えており、
前記第一面部は、前記第二面部に向かって水を伝える通水部を有し、
前記第二面部は、横方向に延在し、かつ上下に並設された複数の横流路部を有することを特徴とする仕切り構造体。
【請求項２】
請求項１に記載の仕切り構造体において、
前記建材は複数であって、かつ互いに間隔を空けて並設され、
当該複数の建材間に形成された隙間が前記通気部とされており、
前記複数の建材における各々の上面が前記第一面部とされるとともに各々の側面が前記第二面部とされていることを特徴とする仕切り構造体。
【請求項３】
請求項１または２に記載の仕切り構造体において、
前記第二面部は、前記複数の横流路部に交差して形成された複数の縦流路部を有することを特徴とする仕切り構造体。
【請求項４】
請求項１に記載の仕切り構造体において、
前記建材は、板状に形成された複数の前記第一面部と、板状に形成された複数の前記第二面部とが、上下方向に交互に並設されるとともにジグザグになるように配置されたことによって構成されており、
前記第一面部は、横方向に延在し、かつ上下に並設された複数の横流路部をさらに有し、
前記第二面部は、当該第二面部よりも下方に位置する第一面部に向かって水を伝える通水部をさらに有し、
前記第一面部における前記通水部と前記第二面部における前記通水部は、各々の下端部に設けられていることを特徴とする仕切り構造体。
【請求項５】
請求項４に記載の仕切り構造体において、
前記第一面部および前記第二面部のそれぞれは、前記複数の横流路部に交差して形成された複数の縦流路部を有することを特徴とする仕切り構造体。
【請求項６】
請求項５に記載の仕切り構造体において、
前記通気部は、前記第一面部および前記第二面部のそれぞれに形成された複数の貫通孔であり、
前記複数の横流路部と前記複数の縦流路部は、前記複数の貫通孔を避けて配置されていることを特徴とする仕切り構造体。
【発明の詳細な説明】
【技術分野】
【０００１】
本発明は、建物内に快適な居住環境を形成するための仕切り構造体に関する。
【背景技術】
【０００２】
近年、省エネルギーや地球温暖化対策の観点から、空調機器や換気装置を用いずに、建物の各部屋の窓やドアを開放して自然換気を行うことによって建物内に快適な居住環境を形成したいという要望がある。ところが、夏場においては建物内に導入する外気が温暖であるため、さらに市街地においてはヒートアイランド化現象による気温上昇のため、自然換気による効果を得にくい場合があった。
そこで、例えば特許文献１に記載のように、フェンスや門、柵、手摺、ルーバー等の外構構造物（仕切り構造体）を構成する建材として、吸水性を有する多孔質材層が表面に設けられたものが用いられている。
特許文献１における建材、またこれを用いた外構構造物によれば、建材表面の多孔質材層に水を含ませると、その水の気化熱によって外構構造物の表面および周囲の空気を冷却することができる。そして、冷却された空気を建物内に導入することによって夏場でも快適な居住環境を形成することができる。
【先行技術文献】
【特許文献】
【０００３】
【特許文献１】特開２０１５−１２１０７４号公報
【特許文献２】特開２０１５−１２９３７３号公報
【発明の概要】
【発明が解決しようとする課題】
【０００４】
ところが、特許文献１に記載された建材は、疎水性もしくは親水性を有する接着層や吸水性を有する多孔質材層などの特殊な層を基材の表面に設けなければならず、材料や製造に掛かるコストが増加する場合があった。
【０００５】
本発明は上記事情に鑑みてなされたものであり、材料や製造に掛かるコストを低減できる仕切り構造体を提供することを目的とする。
【課題を解決するための手段】
【０００６】
請求項１に記載の発明は、例えば図１〜図１１に示すように、空間を一方側空間と他方側空間に分けるための主要面を構成する建材１１（２１，３１，４１）と、前記主要面によって分けられた一方側空間と他方側空間とを連通する通気部１４（２４，３４，４４）と、を備えた仕切り構造体１０（２０，３０，４０）において、
前記建材１１（２１，３１，４１）は、
上方からの水を受けて下方に流す第一面部１２（２２，３２，４２）と、
前記第一面部１２（２２，３２，４２）よりも下方に位置するとともに前記第一面部１２（２２，３２，４２）と連続し、かつ前記第一面部１２（２２，３２，４２）とは異なる角度に配置されて前記第一面部１２（２２，３２，４２）から伝わる水を下方に流す第二面部１３（２３，３３，４３）と、を備えており、
前記第一面部１２（２２，３２，４２）は、前記第二面部１３（２３，３３，４３）に向かって水を伝える通水部１２ｃ（２２ｃ，３２ｃ，４２ｃ）を有し、
前記第二面部１３（２３，３３，４３）は、横方向に延在し、かつ上下に並設された複数の横流路部１３ａ（２３ａ，３３ａ，４３ａ）を有することを特徴とする。
【０００７】
請求項１に記載の発明によれば、第一面部１２（２２，３２，４２）が、第二面部１３に向かって水を伝える通水部１２ｃ（２２ｃ，３２ｃ，４２ｃ）を有するので、水が、この通水部１２ｃ（２２ｃ，３２ｃ，４２ｃ）を通じて第一面部１２（２２，３２，４２）から第二面部１３（２３，３３，４３）に向けて確実に伝わることになる。また、第二面部１３（２３，３３，４３）が、横方向に延在し、かつ上下に並設された複数の横流路部１３ａ（２３ａ，３３ａ，４３ａ）を有するので、水が、これら複数の横流路部１３ａ（２３ａ，３３ａ，４３ａ）を通じて第二面部１３（２３，３３，４３）の幅方向の広い範囲で伝わることになる。そのため、水の気化熱を利用して建材１１（２１，３１，４１）の広い範囲を冷却することができ、これに伴って仕切り構造体１０（２０，３０，４０）の周囲の空気を冷却する効果を発揮することができる。したがって、建物内の自然換気を行う際に、通気部１４（２４，３４，４４）を通じて一方側空間から他方側空間に向かって冷却された外気を送り、この冷却された外気を建物内に導入できる。そして、従来のように疎水性を有する接着層や吸水性を有する多孔質材層などの特殊な層を基材の表面に設けなくても、建材１１（２１，３１，４１）の表面に通水部１２ｃ（２２ｃ，３２ｃ，４２ｃ）や複数の横流路部１３ａ（２３ａ，３３ａ，４３ａ）を設けるだけで冷却された外気を建物内に導入できるので、材料や製造に掛かるコストを確実に低減することができる。
【０００８】
請求項２に記載の発明は、例えば図１〜図７に示すように、請求項１に記載の仕切り構造体１０（２０，３０）において、
前記建材１１（２１，３１）は複数であって、かつ互いに間隔を空けて並設され、
当該複数の建材１１（２１，３１）間に形成された隙間が前記通気部１４（２４，３４）とされており、
前記複数の建材１１（２１，３１）における各々の上面が前記第一面部１２（２２，３２）とされるとともに各々の側面が前記第二面部１３（２３，３３）とされていることを特徴とする。
【０００９】
請求項２に記載の発明によれば、建材１１（２１，３１）が複数であるため、単体で用いられるよりも仕切り構造体１０（２０，３０）の周囲の空気を冷却する効果が高まる。さらに、複数の建材１１（２１，３１）間に形成された隙間が通気部１４（２４，３４）とされているので、一方側空間から他方側空間に向かって通過する空気の量も増えることになる。
【００１０】
請求項３に記載の発明は、例えば図１〜図７に示すように、請求項１または２に記載の仕切り構造体１０（２０，３０）において、
前記第二面部１３（２３，３３）は、前記複数の横流路部１３ａ（２３ａ，３３ａ）に交差して形成された複数の縦流路部１３ｂ（２３ｂ，３３ｂ）を有することを特徴とする。
【００１１】
請求項３に記載の発明によれば、第二面部１３（２３，３３）は、複数の横流路部１３ａ（２３ａ，３３ａ）に交差して形成された複数の縦流路部１３ｂ（２３ｂ，３３ｂ）を有するので、複数の横流路部１３ａ（２３ａ，３３ａ）を通じて第二面部１３（２３，３３）の幅方向の広い範囲で伝わる水が、これら複数の縦流路部１３ｂ（２３ｂ，３３ｂ）を通じて第二面部１３（２３，３３）の縦方向にも伝わることになる。これによって、第一面部１２（２２，３２）から伝わる水を、第二面部１３（２３，３３）のより広い範囲に伝えることができるので、水の気化熱を発生させやすくすることができる。
【００１２】
請求項４に記載の発明は、例えば図８〜図１１に示すように、請求項１に記載の仕切り構造体４０において、
前記建材４１は、板状に形成された複数の前記第一面部４２と、板状に形成された複数の前記第二面部４３とが、上下方向に交互に並設されるとともにジグザグになるように配置されたことによって構成されており、
前記第一面部４２は、横方向に延在し、かつ上下に並設された複数の横流路部４２ａをさらに有し、
前記第二面部４３は、当該第二面部４３よりも下方に位置する第一面部４２に向かって水を伝える通水部４３ｃをさらに有し、
前記第一面部４２における前記通水部４２ｃと前記第二面部４３における前記通水部４３ｃのそれぞれは、各々の下端部に設けられていることを特徴とする。
【００１３】
請求項４に記載の発明によれば、第一面部４２が、横方向に延在し、かつ上下に並設された複数の横流路部４２ａをさらに有し、第二面部４３が、当該第二面部４３よりも下方に位置する第一面部４２に向かって水を伝える通水部４３ｃをさらに有し、第一面部４２における通水部４２ｃと第二面部４３における通水部４３ｃのそれぞれが、各々の下端部に設けられているので、第一面部４２と第二面部４３は、同様の構成を備えた状態となる。このように構成された複数の第一面部４２と複数の第二面部４３が、上下方向に交互に並設されるとともにジグザグになるように配置されているので、各々の通水部４２ｃ，４３ｃを通じて、上下方向に並設された複数の第一面部４２と複数の第二面部４３に対して交互に水を伝えることができる。
【００１４】
請求項５に記載の発明は、例えば図８〜図１１に示すように、請求項４に記載の仕切り構造体４０において、
前記第一面部４２および前記第二面部４３のそれぞれは、前記複数の横流路部４２ａ，４３ａに交差して形成された複数の縦流路部４２ｂ，４３ｂを有することを特徴とする。
【００１５】
請求項５に記載の発明によれば、第一面部４２および第二面部４３のそれぞれは、複数の横流路部４２ａ，４３ａに交差して形成された複数の縦流路部４２ｂ，４３ｂを有するので、複数の横流路部４２ａ，４３ａを通じて第一面部４２および第二面部４３の幅方向の広い範囲で伝わる水が、これら複数の縦流路部４２ｂ，４３ｂを通じて第一面部４２および第二面部４３の縦方向にも伝わることになる。これによって、複数の第一面部４２と複数の第二面部４３との間を交互に伝わる水を、第一面部４２および第二面部４３のより広い範囲に伝えることができるので、水の気化熱を発生させやすくすることができる。
【００１６】
請求項６に記載の発明は、例えば図８〜図１１に示すように、請求項５に記載の仕切り構造体４０において、
前記通気部４４は、前記第一面部４２および前記第二面部４３のそれぞれに形成された複数の貫通孔（貫通孔４４ａ）であり、
前記複数の横流路部４２ａ，４３ａと前記複数の縦流路部４２ｂ，４３ｂは、前記複数の貫通孔を避けて配置されていることを特徴とする。
【００１７】
請求項６に記載の発明によれば、複数の横流路部４２ａ，４３ａと複数の縦流路部４２ｂ，４３ｂが、第一面部４２および第二面部４３のそれぞれに形成された複数の貫通孔を避けて配置されているので、水が伝わる経路と、空気が通過する経路を、第一面部４２および第二面部４３のそれぞれに確保することができる。
【発明の効果】
【００１８】
本発明によれば、材料や製造に掛かるコストを低減でき、建物内における快適な居住環境の形成に貢献できる。
【図面の簡単な説明】
【００１９】
【図１】第１実施形態の仕切り構造体を示す正面図である。
【図２】図１の仕切り構造体における複数の建材を示す側断面図である。薄墨を付した部分は水である。
【図３】図１の仕切り構造体における建材を示す斜視図である。
【図４】図３の建材の変形例を示す図である。
【図５】第２実施形態の仕切り構造体を構成する複数の建材を示す斜視図である。
【図６】図５の建材における断面形状の変形例を示す図である。
【図７】第３実施形態の仕切り構造体を示す斜視図である。
【図８】第４実施形態の仕切り構造体を示す斜視図である。
【図９】図８の仕切り構造体を示す側面図である。薄墨を付した部分は水である。一点鎖線は鉛直方向を示す。
【図１０】図８の仕切り構造体における通気部を示す図であり、（ａ）は通気部を上方から見た場合の図であり、（ｂ）は（ｃ）におけるＢ−Ｂ線断面図であり、（ｃ）は（ａ）におけるＣ−Ｃ線断面である。
【図１１】第５実施形態の仕切り構造体を示す側面図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
なお、以下の各実施形態における仕切り構造体の具体的な用途としては、例えばフェンスや門扉、柵、手摺、ルーバー装置、垣根、塀、建物における窓前の目隠し、建物内部における仕切り壁、建物内部における空気冷却手段、外壁に形成された開口部に設けられる柵など、様々なものが挙げられる。
つまり、仕切り構造体は、空間を一方側空間と他方側空間に分けるものであり、二つの異なる空間の境界にある“仕切り”である。より詳細には、屋外空間を一方側空間（例えば建物側空間）と他方側空間（例えば屋外側空間）に分けるため、もしくは屋内空間を一方側と他方側に分けるため、もしくは屋外空間と屋内空間との境界における仕切りとして用いられるものである。
【００２２】
また、以下の各実施形態における建材は、以上のような各種仕切り構造体に使用される建材を指しており、アルミニウムやスチール等の金属材料を棒状または板状に形成し、適宜加工を行ったものである。このような建材によって、屋外空間を建物側空間と屋外側空間に分けるための主要面が構成されている。
屋外空間を建物側空間と屋外側空間に分けるための主要面とは、屋外空間を建物側空間と屋外側空間に分けるために最も大きな働きをする面を指している。
【００２３】
〔第１実施形態〕
本実施形態における仕切り構造体１０は、図１〜図４に示すように、屋外空間を建物側空間と屋外側空間に分けるための主要面を構成する建材１１と、主要面によって分けられた建物側空間と屋外側空間とを連通する通気部１４と、建材１１を支持する支持部１５と、を備えたものである。
【００２４】
建材１１は、棒状に形成された押出成形品であり、長さ方向が横向きになるように配置される。また、この建材１１は、本実施形態の仕切り構造体１０を形成するに当たって複数本が用いられており、かつ互いに間隔を空けて並設されている。すなわち、このような複数の建材１１を備える仕切り構造体１０は、横格子壁として機能することになる。
また、複数の建材１１間に形成された隙間が上述の通気部１４とされており、建物側空間と屋外側空間とを連通している。
【００２５】
また、各建材１１は、上方からの水を受けて下方に流す第一面部１２と、第一面部１２から伝わる水を下方に流す第二面部１３と、を備える。
より詳細に説明すると、建材１１は、図２，図３に示すように断面が逆三角形状に形成されたものであり、建材１１の上面が第一面部１２とされ、斜め内側下方に向かう二つの側面のそれぞれが第二面部１３とされている。
【００２６】
第一面部１２の長さ方向に沿う両側縁には、第一面部１２の長さ方向に沿って立ち上がり１２ａが形成されている。これによって、第一面部１２は、断面略凹状に形成された状態となっている。
また、両側縁の立ち上がり１２ａ間の凹みは貯水部１２ｂとされ、上方からの水を受けることができる。
【００２７】
両側縁の立ち上がり１２ａのそれぞれには、貯水部１２ｂから外側に向かって水を通すための通水部１２ｃが、立ち上がり１２ａの長さ方向に間隔を空けて複数形成されている。立ち上がり１２ａの長さ方向に隣り合う通水部１２ｃ同士の間隔は、等間隔でもよいし、等間隔でなくてもよい。さらに、一方の立ち上がり１２ａに形成された通水部１２ｃの位置と、他方の立ち上がり１２ａに形成された通水部１２ｃの位置は、対称的に配置されてもよいし、対称的に配置されなくてもよい。
通水部１２ｃは、貯水部１２ｂから、第一面部１２と第二面部１３とが為す角部に向かって上り傾斜するように形成された溝である。また、この通水部１２ｃは、第一面部１２と第二面部１３とが為す角部に向かうにつれて徐々に細くなるように形成されている。さらに、この通水部１２ｃは、立ち上がり１２ａを部分的に凹ませるようにして形成されている。
【００２８】
第二面部１３は、第一面部１２よりも下方に位置するとともに第一面部１２と連続し、かつ第一面部１２とは異なる角度に配置されている。すなわち、第二面部１３は、上述のように斜め内側下方に向かうようにして配置されている。
また、第二面部１３の表面には、横方向（水平方向）に延在し、かつ上下に並設された溝である複数の横流路部１３ａが形成されている。
【００２９】
なお、本実施形態における第二面部１３は、横方向に延在するように形成された複数の横流路部１３ａを有するものとしたが、図４に示すように、これら複数の横流路部１３ａに加えて、溝である複数の縦流路部１３ｂを有するものとしてもよい。
複数の縦流路部１３ｂは、複数の横流路部１３ａに交差して形成されており、水が、横流路部１３ａにも縦流路部１３ｂにも伝わるようになっている。
また、複数の縦流路部１３ｂは、第二面部１３の長さ方向に等間隔に配置されてもよいし、等間隔でなくてもよい。換言すれば、複数の横流路部１３ａと複数の縦流路部１３ｂとが、第二面部１３に対して格子状（網目状）に形成されていてもよいし、いわゆる阿弥陀くじ状に形成されていてもよい。
【００３０】
押出成型品である建材１１の長さ方向両端部には、端面開口を閉塞するキャップ部材（図示せず）を設けるようにしてもよい。この場合、キャップ部材の上端部は、第一面部１２の立ち上がり１２ａの高さに揃うようにし、第一面部１２の長さ方向両端部における水の塞き止めを行なえるようにすることが好ましい。
【００３１】
支持部１５は、複数の建材１１の長さ方向両側に配置され、かつ地面または床面に立設された二本の支柱である。すなわち、複数の建材１１は、これら二本の支柱１５間に架け渡されて設けられた状態となっている。
なお、これら二本の支柱１５のうち少なくとも一方は中空状に形成されており、後述する給水管１７を通すことができる。
【００３２】
二本の支柱１５の上端部間には、中空状に形成された給水管カバー１６が架け渡されて設けられている。
この給水管カバー１６における内部中空部と、中空状に形成された支柱１５における内部中空部は連通した状態となっている。つまり、中空状に形成された支柱１５の上端部内側面に貫通孔が形成され、給水管カバー１６の長さ方向一端面が開口した状態となっており、これら貫通孔と開口との位置が対応した状態となるように給水管カバー１６が設けられている。
また、給水管カバー１６の下面には水を供給するための給水孔（例えば図８の給水孔４６ａ参照）が長さ方向に間隔を空けて複数形成されている。これら給水孔は、複数の建材１１のうち最も上方に位置する建材１１の第一面部１２における貯水部１２ｂの直上に位置する。なお、給水孔の代わりに、給水用のスリットが形成されていてもよい。
そして、給水管１７が、支柱１５の内部中空部と、給水管カバー１６の内部中空部に通されている。
【００３３】
以上のように構成された仕切り構造体１０における主要面は、複数の建材１１と、通気部１４とを含んだ仕切り構造体１０の正面側領域および背面側領域を指している。
【００３４】
続いて、仕切り構造体１０における水の流れについて説明する。
まず、図示しない給水源から水が供給され、給水管１７を通って仕切り構造体１０の上端部に水が到達する。仕切り構造体１０の上端部に到達した水は、給水孔を通って、複数の建材１１のうち最も上方に位置する建材１１の第一面部１２における貯水部１２ｂへと落ちる。
【００３５】
貯水部１２ｂに落ちた水は、貯水許容量を超えると、通水部１２ｃを通って両側の第二面部１３へと至る。
第二面部１３に至った水は、表面張力によって横流路部１３ａの延在方向に伝わり、第二面部１３の長さ方向両端部まで到達する。そして、表面張力によって保持できる許容量を超えた水は下方へと流れ、建材１１下端部の角部から下方へと落ちる。
【００３６】
建材１１下端部の角部から下方へと落ちた水は、上から二番目の建材１１における貯水部１２ｂによって受けられ、この貯水部１２ｂの貯水許容量を超えると、通水部１２ｃを通って両側の第二面部１３へと至る。
以上のようなプロセスを繰り返して、水は、最も下方に位置する建材１１における下端部の角部から下方へと落ちる。これによって、複数の建材１１の表面全体に水が伝わった状態となる。
なお、地面または床面には、最も下方に位置する建材１１から落ちた水を受けて排水する排水手段が設けられていてもよい。
【００３７】
そして、複数の建材１１の表面全体に伝わった水の気化熱を利用して、複数の建材１１の広い範囲を冷却することができ、これに伴って仕切り構造体１０の周囲の空気を冷却する効果を発揮する。
建物内の自然換気を行う際には、通気部１４を通じて屋外側空間から建物側空間に向かって冷却された外気を送り、建物の開口部から、この冷却された外気を建物内に導入する。以上のようにして、建物内の自然換気を行うことができる。
なお、建物の開口部と、仕切り構造体１０とが対向していれば、冷却された外気を建物内に取り込みやすくなるので好ましい。
【００３８】
本実施の形態によれば、第一面部１２が、第二面部１３に向かって水を伝える通水部１２ｃを有するので、水が、この通水部１２ｃを通じて第一面部１２から第二面部１３に向けて確実に伝わることになる。また、第二面部１３が、横方向に延在し、かつ上下に並設された複数の横流路部１３ａを有するので、水が、これら複数の横流路部１３ａを通じて第二面部１３の幅方向の広い範囲で伝わることになる。そのため、水の気化熱を利用して建材１１の広い範囲を冷却することができ、これに伴って仕切り構造体１０の周囲の空気を冷却する効果を発揮することができる。したがって、建物内の自然換気を行う際に、通気部１４を通じて屋外側空間から建物側空間に向かって冷却された外気を送り、この冷却された外気を建物内に導入できる。そして、従来のように疎水性を有する接着層や吸水性を有する多孔質材層などの特殊な層を基材の表面に設けなくても、建材１１の表面に通水部１２ｃや複数の横流路部１３ａを設けるだけで冷却された外気を建物内に導入できるので、材料や製造に掛かるコストを確実に低減することができる。
【００３９】
また、第二面部１３が、複数の横流路部１３ａに交差して形成された複数の縦流路部１３ｂを有していれば、複数の横流路部１３ａを通じて第二面部１３の幅方向の広い範囲で伝わる水が、これら複数の縦流路部１３ｂを通じて第二面部１３の縦方向にも伝わることになる。これによって、第一面部１２から伝わる水を、第二面部１３のより広い範囲に伝えることができるので、水の気化熱を発生させやすくすることができる。
【００４０】
なお、本実施形態おける横流路部１３ａおよび縦流路部１３ｂは溝として形成されたものであるが、これに限られるものではなく、例えば水が伝って流れる突条であってもよいし、隣り合う開口と開口との間に位置する平坦な通路であってもよい。すなわち、水が伝って流れる通路（流路）を確保できればよい。
【００４１】
〔第２実施形態〕
次に、図面を参照して本発明の第２の実施の形態について説明する。なお、説明の便宜上、上述した第１の実施の形態とは異なる構成部分のみについて説明する。
【００４２】
本実施形態における仕切り構造体２０は、図５に示すように、屋外空間を建物側空間と屋外側空間に分けるための主要面を構成する建材２１と、主要面によって分けられた建物側空間と屋外側空間とを連通する通気部２４と、建材２１を支持する支持部（図示せず）と、を備えたものである。
【００４３】
建材２１は、棒状に形成された成形品であり、長さ方向が横向きになるように配置される。また、この建材２１は、本実施形態の仕切り構造体２０を形成するに当たって複数本が用いられており、かつ互いに間隔を空けて並設されている。すなわち、このような複数の建材２１を備える仕切り構造体２０は、横格子壁として機能することになる。
また、複数の建材２１間に形成された隙間が上述の通気部２４とされており、建物側空間と屋外側空間とを連通している。
【００４４】
また、各建材２１は、上方からの水を受けて下方に流す第一面部２２と、第一面部２２から伝わる水を下方に流す第二面部２３と、を備える。
より詳細に説明すると、建材２１は、直方体状に形成されたものであり、建材２１の上面が第一面部２２とされ、四側面のそれぞれが第二面部２３とされている。
【００４５】
第一面部２２は、第二面部に向かって水を伝える通水部２２ｃを有する。
通水部２２ｃは、第一面部２２に形成された溝であり、溝が縦横に複数配置されて格子状になっている。また、溝である通水部２２ｃの長さ方向両端部は、第一面部２２と第二面部２３とが為す角部のうち通水部２２ｃの箇所を切り欠くようにして形成され、側方に向かって開口した状態となっている。
【００４６】
第二面部２３は、第一面部２２よりも下方に位置するとともに第一面部２２と連続し、かつ第一面部２２とは異なる角度に配置されている。すなわち、建材２１は、は直方体状に形成されているため、第二面部２３は、第一面部２２に対して垂直に配置されている。
また、第二面部２３の表面には、横方向に延在し、かつ上下に並設された溝である複数の横流路部２３ａが形成されている。
【００４７】
なお、本実施形態における第二面部２３は、横方向に延在するように形成された複数の横流路部２３ａを有するものとしたが、これら複数の横流路部２３ａに加えて、溝である複数の縦流路部（図示せず）を有するものとしてもよい。
この場合、複数の縦流路部は、複数の横流路部２３ａに交差して形成されることになり、水が、横流路部２３ａにも縦流路部にも伝わるようになる。
【００４８】
また、建材２１の下面は、図示はしないが、平滑な面とされていてもよいし、第一面部２２と同様に溝が形成されていてもよい。
第二面部２３を伝って下方に流れる水は、建材２１の下面と第二面部２３とが為す角部から下方に落ちるか、建材２１の下面まで伝わり、表面張力によって溜まってから下方に落ちる。
【００４９】
なお、建材２１の各面に形成された溝（通水部２２ｃ、横流路部２３ａ、縦流路部）の幅は、例えば数十μｍ〜数ｍｍ程度に設定されており、毛細管力（表面張力に起因する）を発揮するのに適したものとなっている。
このような毛細管力による効果を高めるために、建材２１の表面に、光触媒などの親水性を有する被膜（塗膜）を補助的に設けるようにしてもよいものとする。
【００５０】
図示しない支持部は、上述した第１実施形態と同様に構成された二本の支柱であり、上端部間には給水管カバーが架け渡されて設けられている。また、給水管カバーの内部中空部には給水管が通されている。
【００５１】
以上のように構成された仕切り構造体２０における主要面は、複数の建材２１と、通気部２４とを含んだ仕切り構造体２０の正面側領域および背面側領域を指している。
【００５２】
続いて、仕切り構造体２０における水の流れについて説明する。
給水管から供給された水が、まず、複数の建材２１のうち最も上方に位置する建材２１の第一面部２２へと落ちる。
第一面部２２に落ちた水は、毛細管力（表面張力）によって複数の溝である通水部２２ｃを伝って第二面部２３へと至る。第二面部２３に至った水は、毛細管力（表面張力）によって横流路部２３ａの延在方向に伝わり、表面張力によって保持できる許容量を超えた水は下方へと流れ、第二面部２３の下端部から下方に落ちるか、建材２１の下面まで伝わってから下方に落ちる。
【００５３】
上方の建材２１から下方へと落ちた水は、上から二番目の建材２１における第一面部２２によって受けられ、複数の溝である通水部２２ｃを通って第二面部２３へと至る。
以上のようなプロセスを繰り返して、水は、最も下方に位置する建材２１から下方へと落ち、これによって、複数の建材２１の表面全体に水が伝わった状態となるため、第１実施形態と同様に、建物内の自然換気を行う際に好適な状態を仕切り構造体２０の周囲に形成することができる。
【００５４】
本実施形態によれば、第１実施形態と同様に、水の気化熱を利用して建材２１の広い範囲を冷却することができ、これに伴って仕切り構造体２０の周囲の空気を冷却する効果を発揮することができる。その結果、従来のように疎水性を有する接着層や吸水性を有する多孔質材層などの特殊な層を基材の表面に設けなくても、材料や製造に掛かるコストを確実に低減することができる。
また、第二面部２３が、複数の横流路部２３ａに交差して形成された複数の縦流路部を有していれば、第一面部２２から伝わる水を、第二面部２３のより広い範囲に伝えることができるので、水の気化熱を発生させやすくすることができる。
【００５５】
さらに、建材２１の表面に、光触媒などの親水性を有する被膜（塗膜）が補助的に設けられた場合には、建材２１の各面に形成された溝（通水部２２ｃ、横流路部２３ａ、縦流路部）の毛細管力による機能と相乗して、水を水平方向に早く拡げることができるので好ましい。また、このような被膜（塗膜）は、あくまでも補助的に設けられるものであるため、これを形成する材料の減量および塗装工程の簡略化を図ることができる。
【００５６】
なお、本実施形態では、建材２１は直方体状であるとしたが、これに限られるものではなく、図６に示すように、角を面取りした略直方体状に形成されたものや、角に丸み（Ｒ：アール）を持たせた略直方体状に形成されたものであってもよい。
図６（ａ）は、建材２１（建材２１Ａ）の全ての角に丸みを持たせた場合の断面図であり、図６（ｂ）は、建材２１（建材２１Ｂ）の上下面に膨らみを持たせるとともに全ての角に丸みを持たせた場合の断面図であり、図６（ｃ）は、建材２１（建材２１Ｃ）の全ての角に丸みを持たせて断面が長円状または楕円状に形成された場合の断面図である。
このように建材２１の全ての角を、直角よりも角張った屈曲にしない状態とすることによって、いわゆる“濡れのピン止め効果”と呼称される現象を軽減することができる。すなわち、水が、直角の角部を越えられずに溜まってしまうことが抑制されるので、第一面部２２から第二面部２３へと水が伝わりやすくなる。
また、図６（ｂ），（ｃ）のような形状の場合は、建材２１の下面に伝わった水が中央に集まりやすくなっており、水が下方に落ちやすくなるという利点もある。
なお、図５に示す建材２１のいずれかの角に、図６に示す形状を適宜採用して、部分的に直角よりも角張った屈曲にしない状態としてもよい。
【００５７】
〔第３実施形態〕
次に、図面を参照して本発明の第３の実施の形態について説明する。なお、説明の便宜上、上述した第１および第２の実施の形態とは異なる構成部分のみについて説明する。
【００５８】
本実施形態における仕切り構造体は、図７に示すように、屋外空間を建物側空間と屋外側空間に分けるための主要面を構成する建材３１と、主要面によって分けられた建物側空間と屋外側空間とを連通する通気部３４と、建材３１を支持する支持部３５と、を備えたものである。
【００５９】
建材３１は、棒状に形成された成形品であり、長さ方向が縦向きになるように配置される。また、この建材３１は、本実施形態の仕切り構造体３０を形成するに当たって複数本が用いられており、かつ互いに間隔を空けて並設されている。すなわち、このような複数の建材３１を備える仕切り構造体３０は、縦格子壁として機能することになる。
また、複数の建材３１間に形成された隙間が上述の通気部３４とされており、建物側空間と屋外側空間とを連通している。
【００６０】
また、各建材３１は、上方からの水を受けて下方に流す第一面部３２と、第一面部３２から伝わる水を下方に流す第二面部３３と、を備える。
より詳細に説明すると、建材３１は、直方体状に形成されたものであり、建材３１の上面が第一面部３２とされ、四側面のそれぞれが第二面部３３とされている。
なお、建材３１は、直方体状に形成されたものとしたが、これに限られるものではなく、例えば屋外側空間に向かって徐々に先細りするような平面視台形の角柱状に形成されたものでもよい。また、円柱状に形成されたものでもよい。
【００６１】
第一面部３２は、第二面部３３に向かって水を伝える通水部３２ｃを有する。当該通水部３２ｃは、第一面部３２に形成された縦横十字状の溝であり、その端部は側方に向かって開口した状態となっており、四側面である第二面部３３のそれぞれに対して水を供給する役割を担っている。
【００６２】
第二面部３３は、第一面部３２よりも下方に位置するとともに第一面部３２と連続し、かつ第一面部３２とは異なる角度に配置されている。すなわち、建材３１は、上述のように直方体状に形成されているため、第二面部３３は、第一面部３２に対して垂直に配置されている。
また、第二面部３３の表面には、建材３１自体の周方向に沿って、かつ上下に並設された溝である複数の横流路部３３ａが形成されている。
【００６３】
なお、本実施形態における第二面部３３は、複数の横流路部３３ａに加えて、溝である複数の縦流路部（図示せず）を有するものとしてもよい。
また、建材３１の各面に形成された溝（通水部３２ｃ、横流路部３３ａ、縦流路部）の幅は、例えば数十μｍ〜数ｍｍ程度に設定されており、毛細管力（表面張力に起因する）を発揮するのに適したものとなっている。
このような毛細管力による効果を高めるために、建材３１の表面に、光触媒などの親水性を有する被膜（塗膜）を補助的に設けるようにしてもよいものとする。
【００６４】
支持部３５は、複数の建材３１の上端部同士および下端部同士をそれぞれ連結する二本の長尺な連結部材である。これら二本の支持部３５は、建物の外壁面に取り付けられている。
複数の建材３１の上方には、図示しない給水管があり、各建材３１の第一面部３２に対して水を供給できるようになっている。
【００６５】
以上のように構成された仕切り構造体３０における主要面は、複数の建材３１と、通気部３４とを含んだ仕切り構造体３０の正面側領域および背面側領域を指している。
【００６６】
続いて、仕切り構造体３０における水の流れについて説明する。
給水管から供給された水は、複数の建材３１の第一面部３２へと落ちる。
第一面部３２に落ちた水は、毛細管力（表面張力）によって十字状の溝である通水部３２ｃを伝って第二面部３３へと至る。第二面部３３に至った水は、毛細管力（表面張力）によって横流路部３３ａの延在方向に伝わり、表面張力によって保持できる許容量を超えた水は下方へと流れ、第二面部３３の下端部から下方に落ちるか、建材３１の下面まで伝わってから下方に落ちる。
以上のようにして、水は、各建材３１から下方へと落ち、これによって、複数の建材３１の表面全体に水が伝わった状態となるため、第１実施形態や第２実施形態と同様に、建物内の自然換気を行う際に好適な状態を仕切り構造体３０の周囲に形成することができる。
【００６７】
なお、図示はしないが、仕切り構造体３０が、上下に複数並んで設けられてもよい。換言すれば、図７に示すような仕切り構造体３０が、上下に複数並んで設けられた状態を指しており、このような場合は、長さ方向が縦向きになるように配置され建材３１が、横方向に複数並んで設けられるとともに、上下方向にも複数並んで設けられた状態となる。このように複数の建材３１が、上下方向に並んで設けられた場合には、上方の建材３１から下方の建材３１に向かって水を落とすことができる。
【００６８】
本実施形態によれば、第２実施形態と同様に、材料や製造に掛かるコストを確実に低減することができる。また、第二面部３３が、複数の横流路部３３ａに交差して形成された複数の縦流路部を有していれば、水の気化熱を発生させやすくすることができる。
さらに、本実施形態によれば、複数の建材３１が縦格子材として機能するため、上方にある給水管から供給された水は、各建材３１の上端部から下端部へと流れることになり、水を仕切り構造体３０全体に亘って広げやすい。
【００６９】
〔第４実施形態〕
次に、図面を参照して本発明の第４の実施の形態について説明する。なお、説明の便宜上、上述した第１〜第３の実施の形態とは異なる構成部分のみについて説明する。
【００７０】
本実施形態における仕切り構造体４０は、図８〜図１０に示すように、屋外空間を建物側空間と屋外側空間に分けるための主要面を構成する建材４１と、主要面によって分けられた建物側空間と屋外側空間とを連通する通気部４４と、建材４１を支持する支持部（図示せず）と、を備えたものである。
【００７１】
建材４１は、板状に形成された成形品であり、上方からの水を受けて下方に流す第一面部４２と、第一面部４２から伝わる水を下方に流す第二面部４３と、を備える。
より詳細に説明すると、建材４１は、板状に形成された複数の第一面部４２と、板状に形成された複数の第二面部４３とが、上下方向に交互に並設されるとともにジグザグになるように配置されたことによって構成されている。また、これら板状に形成された複数の第一面部４２と複数の第二面部４３のそれぞれは、鉛直方向に対して傾斜するようにして配置されている。そのため、各第一面部４２と各第二面部４３は、鉛直方向に対して傾斜する上面（斜め上方向きの面）と下面（斜め下方向きの面）を備えた状態となる。
【００７２】
第一面部４２は、横方向に延在し、かつ上下に並設された複数の横流路部４２ａと、複数の横流路部４２ａに交差して形成された複数の縦流路部４２ｂと、第二面部４３に向かって水を伝える通水部４２ｃと、を有する。
第二面部４３は、横方向に延在し、かつ上下に並設された複数の横流路部４３ａと、複数の横流路部４３ａに交差して形成された複数の縦流路部４３ｂと、当該第二面部４３よりも下方に位置する第一面部４２に向かって水を伝える通水部４３ｃと、を有する。
すなわち、第一面部４２と第二面部４３は、同様の構成要素を持つものであり、単に正背方向の向きが真逆になったものである。また、これら第一面部４２と第二面部４３は、一体形成または一体的に形成されている。
【００７３】
また、通気部４４は、第一面部４２および第二面部４３のそれぞれに形成された複数の貫通孔（貫通孔４４ａ）を主体として構成されたものである。そして、複数の横流路部４２ａ，４３ａと複数の縦流路部４２ｂ，４３ｂは、これら複数の通気部４４を避けて配置されている。
複数の通気部４４は、板状の第一面部４２および第二面部４３に対して規則正しく配置されている。すなわち、複数の通気部４４は、例えばパンチングメタルやエキスパンド等のような金属板の孔開け技術（金網製造技術）によって第一面部４２および第二面部４３に形成されたものであり、複数の横流路部４２ａ，４３ａと複数の縦流路部４２ｂ，４３ｂは、複数の通気部４４の位置に対応して配置されている。また、上下に並ぶ通気部４４同士は、横方向にずれて配置されており、いわゆる“千鳥配置”された状態となっている。
【００７４】
各通気部４４は、図１０に示すように、通気部４４の本体ともいうべき貫通孔４４ａと、この貫通孔４４ａを庇状にカバーするカバー部４４ｂと、を備えて構成されている。
貫通孔４４ａは、板状に形成された複数の第一面部４２と複数の第二面部４３のそれぞれを厚さ方向に貫通するようにして形成されている。
カバー部４４ｂは、貫通孔４４ａに覆い被さった状態となっており、貫通孔４４ａは、このカバー部４４ｂによって下向き開口したような状態となっている。これによって、上から下に向かって流れる水が、貫通孔４４ａに流入することを防ぐことができる。
【００７５】
なお、通気部４４を構成するカバー部４４ｂのある面が、第一面部４２および第二面部４３における“正面部”だとすると、第一面部４２の正面部と第二面部４３の正面部は、図９に示すように、反対に向けられた状態になっている。すなわち、第一面部４２の正面部は、図９の正面側に向けられ、第二面部４３の正面部は、図９の背面側に向けられている。
【００７６】
通水部４２ｃ，４３ｃは、第一面部４２と第二面部４３それぞれの下端部に貫通形成された複数の貫通孔であり、複数の通気部４４と上下に並んで配置されている。
より詳細に説明すると、第一面部４２および第二面部４３における通水部４２ｃ，４３ｃは、上述した複数の通気部４４における貫通孔４４ａと同様に形成され、さらに、複数の通気部４４と共に千鳥配置された状態となっている。すなわち、貫通孔である通水部４２ｃ，４３ｃは、上述した複数の通気部４４におけるカバー部４４ｂが無い状態と同一の構成を有している。
通水部４２ｃ，４３ｃには、このように庇状のカバー部が無いため、水が流入することになる。そのため、水は、当該通水部４２ｃ，４３ｃを通じて、各第一面部４２と各第二面部４３の、鉛直方向に対して傾斜する上面から、鉛直方向に対して傾斜する下面に向かって移動することになる。
【００７７】
図示しない支持部は、上述した第１実施形態と同様に構成された二本の支柱であり、上端部間には給水管カバー４６が架け渡されて設けられている。また、給水管カバー４６の内部中空部には給水管４７が通されている。また、給水管カバー４６には、給水孔４６ａが複数形成されている。
また、図示はしないが、この支持部は、建材４１を保持する保持手段を備えるものとする。
【００７８】
なお、以上のような建材４１は複数用いられており、これら複数の建材４１は横方向に隣り合うように並んで配置されているものとする。このような場合には、各建材４１の幅寸法は、例えば図８に示すように短い幅寸法に設定されている。ただし、これに限られるものではなく、建材４１の幅寸法は、本発明の趣旨を逸脱しない範囲で適宜変更可能であり、幅寸法の長い建材４１を単体で用いて、仕切り構造体４０を構成するようにしてもよい。
【００７９】
以上のように構成された仕切り構造体４０における主要面は、横に並ぶ複数の建材４１と、通気部４４とを含んだ仕切り構造体１０の正面側領域および背面側領域を指している。
すなわち、第一面部４２と第二面部４３は裏表が逆に設けられているが、仕切り構造体４０全体を見た時に目に入る正面側領域と、その反対の背面側領域とが主要面とされている。
【００８０】
続いて、仕切り構造体４０における水の流れについて説明する。
まず、図示しない給水源から水が供給され、給水管４７を通って仕切り構造体４０の上端部に水が到達する。仕切り構造体４０の上端部に到達した水は、給水孔を通って、最も上方に位置する第一面部４２の、鉛直方向に対して傾斜する上面へと落ちる。
【００８１】
第一面部４２の、鉛直方向に対して傾斜する上面へと落ちた水は、横流路部４２ａおよび縦流路部４２ｂを伝って下方へ流れながら第一面部４２の上面全体に広がる。
第一面部４２の下端部に達した水は、通水部４２ｃを通じて、第一面部４２の、鉛直方向に対して傾斜する下面に流れる。そして、さらに下方へと流れて、第二面部４３の、鉛直方向に対して傾斜する上面の上端部に達することになる。
【００８２】
第二面部４３の、鉛直方向に対して傾斜する上面の上端部に達した水は、横流路部４３ａおよび縦流路部４３ｂを伝って下方へ流れながら第二面部４３の上面全体に広がる。
第二面部４３の下端部に達した水は、通水部４３ｃを通じて、第二面部４３の、鉛直方向に対して傾斜する下面に流れる。そして、さらに下方へと流れて、下方に位置する第一面部４２の、鉛直方向に対して傾斜する上面の上端部に達することになる。
【００８３】
以上のようなプロセスを繰り返して、水は、最も下方に位置する第一面部４２または第二面部４３の下端部から下方へと落ちる。これによって、建材４１の表面全体に水が伝わった状態となるため、第１〜第３実施形態と同様に、建物内の自然換気を行う際に好適な状態を仕切り構造体４０の周囲に形成することができる。
【００８４】
本実施形態によれば、同様の構成を備えた状態の複数の第一面部４２と複数の第二面部４３が、上下方向に交互に並設されるとともにジグザグになるように配置されているので、各々の通水部４２ｃ，４３ｃを通じて、上下方向に並設された複数の第一面部４２と複数の第二面部４３に対して交互に水を伝えることができる。これによって、従来のように疎水性を有する接着層や吸水性を有する多孔質材層などの特殊な層を基材の表面に設けなくても、冷却された外気を建物内に導入できるので、材料や製造に掛かるコストを確実に低減することができる。また、複数の縦流路部４２ｂ，４３ｂによって、水の気化熱を発生させやすくすることができる。
【００８５】
また、第一面部４２および第二面部４３のそれぞれは、複数の横流路部４２ａ，４３ａに交差して形成された複数の縦流路部４２ｂ，４３ｂを有するので、複数の横流路部４２ａ，４３ａを通じて第一面部４２と第二面部４３の幅方向の広い範囲で伝わる水が、これら複数の縦流路部４２ｂ，４３ｂを通じて第一面部４２と第二面部４３の縦方向にも伝わることになる。これによって、複数の第一面部４２と複数の第二面部４３との間を交互に伝わる水を、第一面部４２および第二面部４３のより広い範囲に伝えることができるので、水の気化熱を発生させやすくすることができる。
【００８６】
また、複数の横流路部４２ａ，４３ａと複数の縦流路部４２ｂ，４３ｂが、第一面部４２および第二面部４３のそれぞれに形成された複数の貫通孔（貫通孔４４ａ）を避けて配置されているので、水が伝わる経路と、空気が通過する経路を、第一面部４２および第二面部４３のそれぞれに確保することができる。
【００８７】
なお、本実施形態における仕切り構造体４０は、複数の建材４１が横に並んで設けられているため、複数の建材４１間の隙間にも空気を通すことができる。これによって、例えば建材４１が単体で用いられるよりも、仕切り構造体４０の一方側空間から他方側空間に抜ける空気の量が増えることになるので、冷却された外気を建物内に導入する上で好適である。
【００８８】
〔第５実施形態〕
次に、図面を参照して本発明の第５の実施の形態について説明する。なお、説明の便宜上、上述した第１〜第４の実施の形態とは異なる構成部分のみについて説明する。
【００８９】
本実施形態における仕切り構造体５０は、図１１に示すように、屋外空間を建物側空間と屋外側空間に分けるための主要面を構成する建材５１と、主要面によって分けられた建物側空間と屋外側空間とを連通する通気部５４と、建材５１を支持する支持部５５と、を備えたものである。
【００９０】
建材５１は、板状に形成された成形品であり、上方からの水を受けて下方に流す第一面部５２と、第一面部５２から伝わる水を下方に流す第二面部５３と、固定部５８と、を備える。
より詳細に説明すると、建材５１は、板状に形成された複数の第一面部５２と、板状に形成された複数の第二面部５３とが、上下方向に交互に並設されるとともにジグザグになるように配置されたことによって構成されている。また、これら板状に形成された複数の第一面部５２と複数の第二面部５３のそれぞれは、鉛直方向に対して傾斜するようにして配置されている。そのため、各第一面部５２と各第二面部５３は、鉛直方向に対して傾斜する上面（斜め上方向きの面）と下面（斜め下方向きの面）を備えた状態となる。
また、第一面部５２は緩やかな傾斜となるように設定され、第二面部５３は急な傾斜となるように設定されている。
【００９１】
第一面部５２は、横方向に延在し、かつ上下に並設された複数の横流路部（隣り合うカバー部５４ｂ，５４ｂ間に位置する）と、複数の横流路部に交差して形成された複数の縦流路部、第二面部５３に向かって水を伝える通水部５２ｃと、を有する。
第二面部５３は、横方向に延在し、かつ上下に並設された複数の横流路部（隣り合う貫通孔５４ｃ，５４ｃ間に位置する）と、複数の横流路部に交差して形成された複数の縦流路部と、当該第二面部５３よりも下方に位置する第一面部５２に向かって水を伝える通水部５３ｃと、を有する。
【００９２】
固定部５８は、後述する支持部５５の側面にビス等の固定具によって固定される鉛直な部位であり、建材５１の最下方に位置する第二面部５３の下端部と、上下に隣り合う第一面部５２の下端部と第二面部５３の上端部との間に、それぞれ設けられている。
上方に位置する第二面部５３の下端部と、下方に位置する第一面部５２の上端部は、この固定部５８を介して連続した状態となっている。
なお、固定部５８は、最上方に位置する第一面部５２の上端部に設けられていてもよい。
【００９３】
また、通気部５４は、第一面部５２および第二面部５３のそれぞれに形成された複数の貫通孔（貫通孔５４ａ，５４ｃ）を主体として構成されたものである。そして、複数の横流路部と複数の縦流路部は、これら複数の通気部５４を避けて配置されている。
複数の通気部５４は、板状の第一面部５２および第二面部５３に対して規則正しく配置されている。すなわち、複数の通気部５４は、例えばパンチングメタルやエキスパンド等のような金属板の孔開け技術（金網製造技術）によって第一面部５２および第二面部５３に形成されたものであり、複数の横流路部と複数の縦流路部は、複数の通気部５４の位置に対応して配置されている。
【００９４】
第一面部５２に形成された通気部５４は、上下に並ぶ通気部５４同士が横方向にずれて配置されており、いわゆる“千鳥配置”された状態となっている。
また、この第一面部５２における通気部５４は、本体である複数の貫通孔５４ａと、複数の貫通孔５４ａを庇状にカバーする複数のカバー部５４ｂと、を備えて構成されている。カバー部５４ｂは、貫通孔５４ａに覆い被さった状態となっており、貫通孔５４ａは、カバー部５４ｂによって下向き開口したような状態となっている。
【００９５】
第二面部５３に形成された通気部５４は、カバー部は備えておらず、複数の貫通孔５４ｃによって構成されている。貫通孔５４ｃは、第二面部５３の幅方向（横方向）に沿って長尺に形成されたスリット状の長孔である。第二面部５３の貫通孔５４ｃは、第一面部５２の貫通孔５４ａよりも横方向に長く形成されている。
なお、複数の貫通孔５４ｃは、第二面部５３における幅方向長さに対応する長さに形成されて上下に並んで配置されてもよいし、これよりも短く形成されて千鳥配置されてもよい。
【００９６】
通水部５２ｃ，５３ｃは、第一面部５２と第二面部５３それぞれの下端部に貫通形成された複数の貫通孔であり、複数の通気部５４と上下に並んで配置されている。
通水部５２ｃ，５３ｃにはカバー部が無い状態となっており、そのため、水が流入しやすくなっている。これにより、水は、当該通水部５２ｃ，５３ｃを通じて、各第一面部５２と各第二面部５３の、鉛直方向に対して傾斜する上面から、鉛直方向に対して傾斜する下面に向かって移動することになる。
【００９７】
支持部５５は、上述した第１実施形態と同様に構成された二本の支柱であり、上端部間には給水管カバー５６が架け渡されて設けられている。また、給水管カバー５６の内部中空部には給水管５７が通されている。また、給水管カバー５６には、給水孔５６ａが複数形成されている。
この支持部５５の側面に、建材５１の固定部５８が固定されている。また、給水孔５６ａの下方に、建材５１における最上方の第一面部５２が配置されており、この最上方の第一面部５２によって給水孔５６ａから落ちた水を受けることができる。
【００９８】
なお、建材５１は、上述の第４実施形態と同様に複数用いられており、これら複数の建材５１は横方向に隣り合うように並んで配置されているものとする。また、建材５１の幅寸法は、本発明の趣旨を逸脱しない範囲で適宜変更可能であり、幅寸法の長い建材５１を単体で用いて、仕切り構造体５０を構成するようにしてもよい。
【００９９】
続いて、仕切り構造体５０における水の流れについて説明する。
まず、図示しない給水源から水が供給され、給水管５７を通って仕切り構造体５０の上端部に水が到達する。仕切り構造体５０の上端部に到達した水は、給水孔５６ａを通って、最も上方に位置する第一面部５２の、鉛直方向に対して傾斜する上面へと落ちる。
【０１００】
第一面部５２の、鉛直方向に対して傾斜する上面へと落ちた水は、横流路部および縦流路部を伝って下方へ流れながら第一面部５２の上面全体に広がる。
第一面部５２の下端部に達した水は、通水部５２ｃを通じて、第一面部５２の、鉛直方向に対して傾斜する下面に流れる。そして、さらに下方へと流れて、第二面部５３の、鉛直方向に対して傾斜する上面の上端部に達することになる。
【０１０１】
第二面部５３の、鉛直方向に対して傾斜する上面の上端部に達した水は、横流路部および縦流路部を伝って下方へ流れながら第二面部５３の上面全体に広がる。
第二面部５３の下端部に達した水は通水部５３ｃを通じて下方へと流れ、固定部５８を経由して、下方に位置する第一面部５２の、鉛直方向に対して傾斜する上面の上端部に達することになる。
【０１０２】
以上のようなプロセスを繰り返して、水は、最も下方に位置する第一面部５２または第二面部５３の下端部から下方へと落ちる。これによって、建材５１の表面全体に水が伝わった状態となるため、第１〜第４実施形態と同様に、建物内の自然換気を行う際に好適な状態を仕切り構造体５０の周囲に形成することができる。
【０１０３】
本実施形態によれば、上述した第４実施形態と同様の効果が得られるだけでなく、第一面部５２と第二面部５３に異なる機能を持たせることができる。
すなわち、第一面部５２は、鉛直方向と直交する方向に近い角度で緩やかな傾斜になっている。そのため、水は、第一面部５２の下端部に到達するまでの間に、第一面部５２の幅方向に拡がっていくことになるので、水を広範囲に拡げやすくなっている。
また、第二面部５３は、貫通孔５４ｃがスリット状の長孔であり、かつカバーを備えていないため、第一面部５２に比して開口率を高めることができる。これによって、建材５１の一方側空間から他方側空間に抜ける空気の量が増えることになるので、冷却された外気を建物内に導入する上で好適である。また、このように開口率が高いため、貫通孔５４ｃから少しずつ水滴が下方に落ちながら水が流れていくため、途中で落ちる水滴によっても、下方に位置する第一面部５２の広い範囲に水を供給することができる。さらには、ある程度の視線の抜けを確保できるので、柵として機能させる上で好適である。
【符号の説明】
【０１０４】
１０  仕切り構造体
１１  建材
１２  第一面部
１２ｃ  通水部
１３  第二面部
１３ａ  横流路部
１３ｂ  縦流路部
１４  通気部
２０  仕切り構造体
２１  建材
２２  第一面部
２２ｃ  通水部
２３  第二面部
２３ａ  横流路部
２４  通気部
３０  仕切り構造体
３１  建材
３２  第一面部
３２ｃ  通水部
３３  第二面部
３３ａ  横流路部
３４  通気部
４０  仕切り構造体
４１  建材
４２  第一面部
４２ａ  横流路部
４２ｂ  縦流路部
４２ｃ  通水部
４３  第二面部
４３ａ  横流路部
４３ｂ  縦流路部
４３ｃ  通水部
４４  通気部
４４ａ  貫通孔
５０  仕切り構造体
５１  建材
５２  第一面部
５２ｃ  通水部
５３  第二面部
５３ｃ  通水部
５４  通気部
５４ａ  貫通孔
５４ｃ  貫通孔
５８  固定部
【図１】
2018044344.tif 000003
【図２】
2018044344.tif 000004
【図３】
2018044344.tif 000005
【図４】
2018044344.tif 000006
【図５】
2018044344.tif 000007
【図６】
2018044344.tif 000008
【図７】
2018044344.tif 000009
【図８】
2018044344.tif 000010
【図９】
2018044344.tif 000011
【図１０】
2018044344.tif 000012
【図１１】
2018044344.tif 000013